(57)【要約】      （修正有）【課題】送信信号を送出した端末において通信相手の端末との間の通信状態を容易に判定することができる通信システム、通信状態判定方法、送受信装置、及びプログラムを提供する。【解決手段】第１送受信装置は、第１データ信号に第１識別信号を付加して第１送信データ信号を生成し、それを第２送受信装置に向けて通信回線に送出し、通信回線を介して送られる第２送信データ信号を受信して第１受信データ信号とし、第１受信データ信号から第２識別信号を検知し、その検知結果に応じて第１及び第２送受信装置の間の通信状態を判定し、第２送受信装置は、第１送受信装置から通信回線を介して送られる第１送信データ信号を受信して第２受信データ信号とし、第２受信データ信号から第１識別信号を検知し、第１識別信号が検知された場合に第２データ信号に第２識別信号を付加して第２送信データ信号を生成し、それを第１送受信装置に向けて通信回線に送出する。【選択図】図２
2016066878.tif 000002
【特許請求の範囲】
【請求項１】
第１送受信装置と、第２送受信装置とが通信回線を介して接続される通信システムであって、
前記第１送受信装置は、
第１識別信号を生成する第１識別信号生成手段と、
送信すべき第１データ信号に前記第１識別信号を付加して第１送信データ信号を生成する第１識別信号付加手段と、
前記第１送信データ信号を前記第２送受信装置に向けて前記通信回線に送出する第１送信手段と、
前記第２送受信装置から前記通信回線を介して送られる第２送信データ信号を受信して第１受信データ信号として出力する第１受信手段と、
前記第１受信データ信号から第２識別信号を検知する第１識別信号検知手段と、
前記第１識別信号検知手段の検知結果に応じて前記第１送受信装置と前記第２送受信装置との間の通信状態を判定する通信状態判定手段と、を含み、
前記第２送受信装置は、
前記第１送受信装置から前記通信回線を介して送られる前記第１送信データ信号を受信して第２受信データ信号として出力する第２受信手段と、
前記第２受信データ信号から前記第１識別信号を検知する第２識別信号検知手段と、
前記第２識別信号を生成する第２識別信号生成手段と、
前記第２識別信号検知手段によって前記第１識別信号が検知された場合に、送信すべき第２データ信号に前記第２識別信号を付加して前記第２送信データ信号を生成する第２識別信号付加手段と、
前記第２送信データ信号を前記第１送受信装置に向けて前記通信回線に送出する第２送信手段と、を含むことを特徴とする通信システム。
【請求項２】
前記第１識別信号付加手段による前記第１データ信号への前記第１識別信号の付加は、所定の付加周期にて行われ、
前記第２識別信号付加手段による前記第２データ信号への前記第２識別信号の付加は、当該所定の付加周期にて行われる、
ことを特徴とする請求項１に記載の通信システム。
【請求項３】
前記第１送受信装置は、前記第１識別信号検知手段によって前記第１受信データ信号から前記第２識別信号が検知された場合に、前記第１受信データ信号の前記第２識別信号以外の部分から前記第２識別信号の部分に対応する第１擬似データ信号を生成し、前記第１受信データ信号の前記第２識別信号の部分に当該第１擬似データ信号を付加して前記１受信データ信号とする第１擬似データ付加手段を有し、
前記第２送受信装置は、前記第２識別信号検知手段によって前記第２受信データ信号から前記第１識別信号が検知された場合に、前記第２受信データ信号の前記１識別信号以外の部分から前記第１識別信号の部分に対応する第２擬似データ信号を生成し、前記第２受信データ信号の前記第１識別信号の部分に当該第２擬似データ信号を付加して前記２受信データ信号とする第２擬似データ付加手段を有することを特徴とする請求項１又は２に記載の通信システム。
【請求項４】
前記第１擬似データ付加手段は、前記第１受信データ信号を記憶する第１データ記憶装置を含み、
前記第１受信データ信号の前記第２識別信号の開始時点より時間的に過去部分から前記第１受信データ信号の基本周期以上で前記第２識別信号の時間的長さより長い部分を前記第１データ記憶装置から第１補間データ信号として抽出し、前記第１受信データ信号の前記第２識別信号の開始時点前の第１期間で前記第１受信データ信号と前記第１補間データ信号とを重ね合わせ、前記第２識別信号の開始時点から終了時点までの第２期間を前記第１補間データ信号に置き換え、前記第２識別信号の終了時点後の第３期間で前記第１受信データ信号と前記第１補間データ信号とを重ね合わせることによって前記第１擬似データ信号の付加を行い、
前記第２擬似データ付加手段は、前記第２受信データ信号を記憶する第２データ記憶装置を含み、
前記第２受信データ信号の前記１識別信号の開始時点より時間的に過去部分から前記第２受信データ信号の基本周期以上で前記１識別信号の時間的長さより長い部分を第２補間データ信号として抽出し、前記第２受信データ信号の前記１識別信号の開始時点前の第４期間で前記第２受信データ信号と前記第２補間データ信号とを重ね合わせ、前記第１識別信号の開始時点から終了時点までの第５期間を前記第２補間データ信号に置き換え、前記第１識別信号の終了時点後の第６期間で前記第２受信データ信号と前記第２補間データ信号とを重ね合わせることによって前記第２擬似データ信号の付加を行うことを特徴とする請求項３に記載の通信システム。
【請求項５】
前記通信状態判定手段は、前記第１識別信号検知手段による前記第２識別信号の検知結果と、前記第１識別信号検知手段による前記第２識別信号の検知間隔とに基づいて通信状態が正常か否かを判定することを特徴とする請求項１に記載の通信システム。
【請求項６】
前記第２識別信号生成手段は、前記第２識別信号検知手段によって前記第１識別信号が検知された場合に、前記第１識別信号を抽出し、当該抽出された第１識別信号を前記第２識別信号として出力することを特徴とする請求項１に記載の通信システム。
【請求項７】
前記第２識別信号生成手段は、前記第２識別信号検知手段によって前記第１識別信号が検知された場合に、前記第１識別信号とは信号の態様が異なる信号として前記第２識別信号を生成することを特徴とする請求項１に記載の通信システム。
【請求項８】
前記信号の態様とは信号周波数であり、前記第１識別信号と前記第２識別信号とが互いに周波数が異なることを特徴とする請求項７に記載の通信システム。
【請求項９】
前記第１データ信号及び前記第２データ信号は音声信号であることを特徴とする請求項１乃至８のいずれか１つに記載の通信システム。
【請求項１０】
前記第１送受信装置は、前記通信状態判定手段の判定結果の情報を提示する情報提示手段を有する請求項１に記載の通信システム。
【請求項１１】
前記第２送受信装置は、
前記第１送受信装置からの着信を検知する着信検知手段を更に有し、
前記第２識別信号生成手段は、前記着信検知手段によって着信が検知された場合に、前記第１データ信号が生成されるまでの期間において前記第１識別信号の生成を停止することを特徴とする請求項１に記載の送受信装置。
【請求項１２】
前記２識別信号生成手段は、前記着信検知手段によって着信が検知された後に前記第２識別信号検知手段によって前記第１識別信号が検知された場合に、前記第１識別信号と態様が異なる前記第２識別信号を前記第２データ信号に付加することを特徴とする請求項１１に記載の通信システム。
【請求項１３】
第１送受信装置と、第２送受信装置とが通信回線を介して接続された通信システムにおける前記第１送受信装置と前記第２送受信装置との間の通信状態判定方法であって、
前記第１送受信装置において、
第１識別信号を生成する第１識別信号生成ステップと、
送信すべき第１データ信号に前記第１識別信号を付加して第１送信データ信号を生成する第１識別信号付加ステップと、
前記第１送信データ信号を前記第２送受信装置に向けて前記通信回線に送出する第１送信ステップと、
前記第２送受信装置から前記通信回線を介して送られる第２送信データ信号を受信して第１受信データ信号として出力する第１受信ステップと、
前記第１受信データ信号から第２識別信号を検知する第１識別信号検知ステップと、
前記第１識別信号検知ステップの検知結果に応じて前記通信状態を判定する通信状態判定ステップと、を含み、
前記第２送受信装置において、
前記第１送受信装置から前記通信回線を介して送られる前記第１送信データ信号を受信して第２受信データ信号として出力する第２受信ステップと、
前記第２受信データ信号から前記第１識別信号を検知する第２識別信号検知ステップと、
前記第２識別信号を生成する第２識別信号生成ステップと、
前記第２識別信号検知ステップによって前記第１識別信号が検知された場合に、送信すべき第２データ信号に前記第２識別信号を付加して前記第２送信データ信号を生成する第２識別信号付加ステップと、
前記第２送信データ信号を前記第１送受信装置に向けて前記通信回線に送出する第２送信ステップと、を含むことを特徴とする通信状態判定方法。
【請求項１４】
第１送受信装置と、第２送受信装置とが通信回線を介して接続される通信システムにおける前記第１送受信装置と前記第２送受信装置との間の通信状態判定を送受信装置に実行させる通信状態判定プログラムであって、
前記第１送受信装置が、第１識別信号を生成する第１識別信号生成ステップと、
前記第１送受信装置が、送信すべき第１データ信号に記第１識別信号を付加して第１送信データ信号を生成する第１識別信号付加ステップと、
前記第１送受信装置が、前記第１送信データ信号を前記第２送受信装置に向けて前記通信回線に送出する第１送信ステップと、
前記第１送受信装置が、前記第２送受信装置から前記通信回線を介して送られる第２送信データ信号を受信して第１受信データ信号として出力する第１受信ステップと、
前記第１送受信装置が、前記第１受信データ信号から第２識別信号を検知する第１識別信号検知ステップと、
前記第１送受信装置が、前記第１識別信号検知手段の検知結果に応じて前記第１送受信装置と前記第２送受信装置との間の通信状態を判定する通信状態判定ステップと、
前記第２送受信装置が、前記第１送受信装置から前記通信回線を介して送られる前記第１送信データ信号を受信して第２受信データ信号として出力する第２受信ステップと、
前記第２送受信装置が、前記第２受信データ信号から前記第１識別信号を検知する第２識別信号検知ステップと、
前記第２送受信装置が、前記第２識別信号を生成する第２識別信号生成ステップと、
前記第２送受信装置が、前記第２識別信号検知手段によって前記第１識別信号が検知された場合に、送信すべき第２データ信号に前記第２識別信号を付加して前記第２送信データ信号を生成する第２識別信号付加ステップと、
前記第２送受信装置が、前記第２送信データ信号を前記第１送受信装置に向けて前記通信回線に送出する第２送信ステップと、
を実行させることを特徴とする通信状態判定プログラム。
【請求項１５】
通信回線に接続される送受信装置であって、
第１識別信号を生成する識別信号生成手段と、
送信すべき第１データ信号に前記第１識別信号を付加して第１送信データ信号を生成する識別信号付加手段と、
前記第１送信データ信号を通信相手の送受信装置に向けて前記通信回線に送出する送信手段と、
前記通信相手の送受信装置から前記通信回線を介して送られる第２送信データ信号を受信して受信データ信号として出力する受信手段と、
前記受信データ信号から、当該送受信装置において、当該送受信装置と前記通信相手の送受信装置との通信状態を判定するために用いられる第２識別信号を検知する識別信号検知手段と、
前記識別信号検知手段の検知結果に応じて当該送受信装置と前記通信相手の送受信装置との通信状態を判定する通信状態判定手段と、を含むことを特徴とする送受信装置。
【請求項１６】
前記送受信装置は、
前記通信相手の送受信装置からの着信を検知する着信検知手段を有し、
前記識別信号生成手段は、前記着信検知手段によって着信が検知された場合に、前記第１データ信号が生成されるまでの期間において前記第１識別信号の生成を停止することを特徴とする請求項１５に記載の送受信装置。
【請求項１７】
前記識別信号付加手段は、前記識別信号検知手段によって前記第２識別信号が検知された場合に、前記第２識別信号を抽出し、当該抽出された第２識別信号を前記第１識別信号として前記第１データ信号に付加することを特徴とする請求項１５又は１６に記載の送受信装置。
【請求項１８】
通信回線に接続される送受信装置の通信状態を判定するためのプログラムであって、
コンピュータに、
第１識別信号を生成する識別信号生成ステップと、
送信すべき第１データ信号に前記第１識別信号を付加して第１送信データ信号を生成する識別信号付加ステップと、
前記送受信装置の送信手段に前記第１送信データ信号を通信相手の送受信装置に向けて前記通信回線に送出させる送信ステップと、
前記送受信装置の受信手段に前記通信相手の送受信装置から前記通信回線を介して送られる第２送信データ信号を受信させて受信データ信号として出力させる受信ステップと、
前記受信データ信号から第２識別信号を検知する識別信号検知ステップと、
前記識別信号検知ステップの検知結果に応じて本送受信装置と前記通信相手の送受信装置との通信状態を判定する通信状態判定ステップと、を実行させることを特徴とするプログラム。
【請求項１９】
通信回線に接続される送受信装置であって、
通信相手の送受信装置から前記通信回線を介して送られる第１送信データ信号を受信して第１受信データ信号として出力する受信手段と、
前記第１受信データ信号から第１識別信号を検知する識別信号検知手段と、
第２識別信号を生成する識別信号生成手段と、
前記識別信号検知手段によって前記第１識別信号が検知された場合に、送信すべき第２データ信号に前記第２識別信号を付加して前記第２送信データ信号を生成する識別信号付加手段と、
前記第２送信データ信号を前記通信相手の送受信装置に向けて前記通信回線に送出する送信手段と、を含むことを特徴とする送受信装置。
【請求項２０】
前記識別信号生成手段は、前記識別信号検知手段によって前記第１識別信号が検知された場合に、前記第１識別信号を抽出し、当該抽出された第１識別信号を前記第２識別信号として出力することを特徴とする請求項１９に記載の送受信装置。
【請求項２１】
通信回線に接続される送受信装置の通信状態判定方法のためのプログラムであって、
コンピュータに、
前記送受信装置の受信手段に通信相手の送受信装置から前記通信回線を介して送られる第１送信データ信号を受信して第１受信データ信号として出力させる受信ステップと、
前記第１受信データ信号から第１識別信号を検知する識別信号検知ステップと、
第２識別信号を生成する第２識別信号生成ステップと、
前記識別信号検知ステップによって前記第１識別信号が検知された場合に、送信すべき第２データ信号に前記第２識別信号を付加して前記第２送信データ信号を生成する識別信号付加ステップと、
前記送受信装置の送信手段に前記第２送信データ信号を前記通信相手の送受信装置に向けて前記通信回線に送出させる送信ステップと、を実行させることを特徴とするプログラム。
【発明の詳細な説明】
【技術分野】
【０００１】
本発明は、２つの送受信装置間の通信状態を判定する通信システム、通信状態判定方法、その通信システムに用いられる各送受信装置、及び送受信装置の通信状態を判定するためのプログラムに関する。
【背景技術】
【０００２】
スマートフォンの普及により、ＶｏＩＰ(Ｖｏｉｃｅ  ｏｖｅｒ  Ｉｎｔｅｒｎｅｔ  Ｐｒｏｔｏｃｏｌ)などを利用してインターネットなどのＩＰネットワーク経由で利用される送受信装置、すなわち端末が増えている。しかしながら、ＩＰネットワークでの通信においては、輻輳などが原因で通信品質が損なわれることが起き易いために、通信中にこうした事象が発生した際において発生原因が何かを通知することが求められていた。
【０００３】
こうした要求に対処するために、通信品質の劣化が発生した場合に、従来技術、例えば、特許文献１に開示された技術では受信パケットの遅延、揺らぎ、データロス率の少なくとも１つを測定し、その測定結果を基にして通信パケットのエラー率を監視し、それをユーザに対して表示することが行われる。
【先行技術文献】
【特許文献】
【０００４】
【特許文献１】特開２００２−２３２４７５号公報
【発明の概要】
【発明が解決しようとする課題】
【０００５】
しかしながら、このような従来の技術では、一方の端末から送出された送信信号を受信する他方の端末側において、受信信号に基づいて通信が適正であることが判断されており、一方の端末側で送信及び受信が適正であるかを判断するものではなかった。それ故、一方の端末側の使用者には通信が適正に行われているのか分からないという欠点があった。
【０００６】
そこで、本発明の目的は、送信信号を送出した端末において、通信相手の端末との間の通信状態が適正であるか否かを容易に判定することができる通信システム、通信状態判定方法、送受信装置、及びプログラムを提供することである。
【課題を解決するための手段】
【０００７】
上記課題を解決するために、第１の本発明によれば、第１送受信装置と、第２送受信装置とが通信回線を介して接続される通信システムであって、前記第１送受信装置は、第１識別信号を生成する第１識別信号生成手段と、送信すべき第１データ信号に記第１識別信号を付加して第１送信データ信号を生成する第１識別信号付加手段と、前記第１送信データ信号を前記第２送受信装置に向けて前記通信回線に送出する第１送信手段と、前記第２送受信装置から前記通信回線を介して送られる第２送信データ信号を受信して第１受信データ信号として出力する第１受信手段と、前記第１受信データ信号から第２識別信号を検知する第１識別信号検知手段と、前記第１識別信号検知手段の検知結果に応じて前記第１送受信装置と前記第２送受信装置との間の通信状態を判定する通信状態判定手段と、を含み、前記第２送受信装置は、前記第１送受信装置から前記通信回線を介して送られる前記第１送信データ信号を受信して第２受信データ信号として出力する第２受信手段と、前記第２受信データ信号から前記第１識別信号を検知する第２識別信号検知手段と、前記第２識別信号を生成する第２識別信号生成手段と、前記第２識別信号検知手段によって前記第１識別信号が検知された場合に、送信すべき第２データ信号に前記第２識別信号を付加して前記第２送信データ信号を生成する第２識別信号付加手段と、前記第２送信データ信号を前記第１送受信装置に向けて前記通信回線に送出する第２送信手段と、を含むことを特徴とする通信システムが提供される。
【０００８】
上記課題を解決するために、第２の本発明によれば、第１送受信装置と、第２送受信装置とが通信回線を介して接続された通信システムにおける前記第１送受信装置と前記第２送受信装置との間の通信状態判定方法であって、前記第１送受信装置において、第１識別信号を生成する第１識別信号生成ステップと、送信すべき第１データ信号に前記第１識別信号を付加して第１送信データ信号を生成する第１識別信号付加ステップと、前記第１送信データ信号を前記第２送受信装置に向けて前記通信回線に送出する第１送信ステップと、前記第２送受信装置から前記通信回線を介して送られる第２送信データ信号を受信して第１受信データ信号として出力する第１受信ステップと、前記第１受信データ信号から第２識別信号を検知する第１識別信号検知ステップと、前記第１識別信号検知ステップの検知結果に応じて前記通信状態を判定する通信状態判定ステップと、を含み、前記第２送受信装置において、前記第１送受信装置から前記通信回線を介して送られる前記第１送信データ信号を受信して第２受信データ信号として出力する第２受信ステップと、前記第２受信データ信号から前記第１識別信号を検知する第２識別信号検知ステップと、前記第２識別信号を生成する第２識別信号生成ステップと、前記第２識別信号検知ステップによって前記第１識別信号が検知された場合に、送信すべき第２データ信号に前記第２識別信号を付加して前記第２送信データ信号を生成する第２識別信号付加ステップと、前記第２送信データ信号を前記第１送受信装置に向けて前記通信回線に送出する第２送信ステップと、を含むことを特徴とする通信状態判定方法が提供される。
【０００９】
上記課題を解決するために、第３の本発明によれば、第１送受信装置と、第２送受信装置とが通信回線を介して接続される通信システムにおける前記第１送受信装置と前記第２送受信装置との間の通信状態判定を送受信装置に実行させる通信状態判定プログラムであって、前記第１送受信装置が、第１識別信号を生成する第１識別信号生成ステップと、前記第１送受信装置が、送信すべき第１データ信号に記第１識別信号を付加して第１送信データ信号を生成する第１識別信号付加ステップと、前記第１送受信装置が、前記第１送信データ信号を前記第２送受信装置に向けて前記通信回線に送出する第１送信ステップと、前記第１送受信装置が、前記第２送受信装置から前記通信回線を介して送られる第２送信データ信号を受信して第１受信データ信号として出力する第１受信ステップと、前記第１送受信装置が、前記第１受信データ信号から第２識別信号を検知する第１識別信号検知ステップと、前記第１送受信装置が、前記第１識別信号検知手段の検知結果に応じて前記第１送受信装置と前記第２送受信装置との間の通信状態を判定する通信状態判定ステップと、前記第２送受信装置が、前記第１送受信装置から前記通信回線を介して送られる前記第１送信データ信号を受信して第２受信データ信号として出力する第２受信ステップと、前記第２送受信装置が、前記第２受信データ信号から前記第１識別信号を検知する第２識別信号検知ステップと、前記第２送受信装置が、前記第２識別信号を生成する第２識別信号生成ステップと、前記第２送受信装置が、前記第２識別信号検知手段によって前記第１識別信号が検知された場合に、送信すべき第２データ信号に前記第２識別信号を付加して前記第２送信データ信号を生成する第２識別信号付加ステップと、前記第２送受信装置が、前記第２送信データ信号を前記第１送受信装置に向けて前記通信回線に送出する第２送信ステップと、を実行させることを特徴とする通信状態判定プログラムが提供される。
【００１０】
上記課題を解決するために、第４の本発明によれば、通信回線に接続される送受信装置であって、第１識別信号を生成する識別信号生成手段と、送信すべき第１データ信号に前記第１識別信号を付加して第１送信データ信号を生成する識別信号付加手段と、前記第１送信データ信号を通信相手の送受信装置に向けて前記通信回線に送出する送信手段と、前記通信相手の送受信装置から前記通信回線を介して送られる第２送信データ信号を受信して受信データ信号として出力する受信手段と、前記受信データ信号から、当該送受信装置において、当該送受信装置と前記通信相手の送受信装置との通信状態を判定するために用いられる第２識別信号を検知する識別信号検知手段と、前記識別信号検知手段の検知結果に応じて当該送受信装置と前記通信相手の送受信装置との通信状態を判定する通信状態判定手段と、を含むことを特徴とする送受信装置が提供される。
【００１１】
上記課題を解決するために、第５の本発明によれば、通信回線に接続される送受信装置の通信状態を判定するためのプログラムであって、コンピュータに、第１識別信号を生成する識別信号生成ステップと、送信すべき第１データ信号に前記第１識別信号を付加して第１送信データ信号を生成する識別信号付加ステップと、前記送受信装置の送信手段に前記第１送信データ信号を通信相手の送受信装置に向けて前記通信回線に送出させる送信ステップと、前記送受信装置の受信手段に前記通信相手の送受信装置から前記通信回線を介して送られる第２送信データ信号を受信させて受信データ信号として出力させる受信ステップと、前記受信データ信号から第２識別信号を検知する識別信号検知ステップと、前記識別信号検知ステップの検知結果に応じて本送受信装置と前記通信相手の送受信装置との通信状態を判定する通信状態判定ステップと、を実行させることを特徴とするプログラムが提供される。
【００１２】
上記課題を解決するために、第６の本発明によれば、通信回線に接続される送受信装置であって、通信相手の送受信装置から前記通信回線を介して送られる第１送信データ信号を受信して第１受信データ信号として出力する受信手段と、前記第１受信データ信号から第１識別信号を検知する識別信号検知手段と、第２識別信号を生成する識別信号生成手段と、前記識別信号検知手段によって前記第１識別信号が検知された場合に、送信すべき第２データ信号に前記第２識別信号を付加して前記第２送信データ信号を生成する識別信号付加手段と、前記第２送信データ信号を前記通信相手の送受信装置に向けて前記通信回線に送出する送信手段と、を含むことを特徴とする送受信装置が提供される。
【００１３】
上記課題を解決するために、第７の本発明によれば、通信回線に接続される送受信装置の通信状態判定方法のためのプログラムであって、コンピュータに、前記送受信装置の受信手段に通信相手の送受信装置から前記通信回線を介して送られる第１送信データ信号を受信して第１受信データ信号として出力させる受信ステップと、前記第１受信データ信号から第１識別信号を検知する識別信号検知ステップと、第２識別信号を生成する第２識別信号生成ステップと、前記識別信号検知ステップによって前記第１識別信号が検知された場合に、送信すべき第２データ信号に前記第２識別信号を付加して前記第２送信データ信号を生成する識別信号付加ステップと、前記送受信装置の送信手段に前記第２送信データ信号を前記通信相手の送受信装置に向けて前記通信回線に送出させる送信ステップと、を実行させることを特徴とするプログラムが提供される。
【発明の効果】
【００１４】
本発明によれば、第１送受信装置から送出された第１識別信号を含む送信データ信号を通信回線を介して受信する第２送受信装置では受信データ信号から第１識別信号が検知されると、第２識別信号を含む送信データ信号が第１送受信装置に向けて通信回線を介して送信され、第１送受信装置では受信データ信号から第２識別信号が検知されるか否かを判定して第１送受信装置と第２送受信装置との間の通信状態が判定される。よって、送信信号を送出した第１送受信装置において通信相手の第２送受信装置との間の通信状態を容易に判定することができる。
【図面の簡単な説明】
【００１５】
【図１】本発明の実施例１の通信システムを示すブロック図である。
【図２】実施例１のシステム中の一方の端末内の構成を示すブロック図である。
【図３】実施例１のシステム中の他方の端末内の構成を示すブロック図である。
【図４】実施例１のシステム中の擬似データ付加部の信号補間変換動作を示す波形図である。
【図５】実施例１のシステム中の情報判定部の動作を示すフローチャートである。
【図６】本発明の実施例２の通信システムを示すブロック図である。
【図７】実施例２の端末内の構成を示すブロック図である。
【発明を実施するための形態】
【００１６】
以下、本発明の実施例を、図面を参照しつつ詳細に説明する。
【００１７】
実施例１
図１は本発明の実施例１として通信システムを示している。
【００１８】
この通信システムは、２つの端末、すなわち端末（第１送受信装置）１０及び端末（第２送受信装置）２０を含んでいる。端末１０及び端末２０は通信回線網であるネットワーク５０に各々接続されている。端末１０及び端末２０はネットワーク５０を介して互いに通話可能である。なお、ネットワーク５０に接続される端末の数は２つより多くても良いことは勿論である。
【００１９】
端末１０は受信装置である受信ユニット１１と、送信装置である送信ユニット１２とを備えている。同様に、端末２０は受信ユニット２１と、送信ユニット２２とを備えている。
【００２０】
端末１０の受信ユニット１１は、図２に示すように、受信部１１１、復号部１１２、識別信号検知部１１３、通信状態判定部１１４、擬似データ付加部１１５、データ記憶装置１１６、スピーカ装置１１７、及び情報提示部１１８を含んでいる。
【００２１】
受信部１１１は、ネットワーク５０に接続されており、ネットワーク５０から信号を受信し、その受信信号から符号化データＳ１５１を抽出する。
【００２２】
復号部１１２は、受信部１１１の出力に接続されており、符号化データＳ１５１を復号して受信音声信号Ｓ１５２を出力する。受信部１１１及び復号部１１２は受信手段を構成する。
【００２３】
第１識別信号検知手段である識別信号検知部１１３は、復号部１１２の出力に接続されると共に送信ユニット１２内の後述の識別信号生成部１２２の出力に接続されており、識別信号生成部１２２から供給される動作判定情報Ｊ１６３に基づいて受信音声信号Ｓ１５２に識別信号成分が含まれているか否かを判定し、その判定結果を動作確認情報Ｊ１５３として出力する。
【００２４】
通信状態判定手段である通信状態判定部１１４は、復号部１１２の出力及び識別信号検知部１１３の出力に接続され、受信音声信号Ｓ１５２と動作確認情報Ｊ１５３とに基づいて端末１０と端末２０との間で行われる通信の通信状態が正常であるか否かを判定し、判定結果を通信状態判定情報Ｊ１５４として出力する。
【００２５】
第１擬似データ付加手段である擬似データ付加部１１５は、復号部１１２の出力と共に識別信号検知部１１３の出力に接続されており、動作確認情報Ｊ１５３に基づいて受信音声信号Ｓ１５２に対して信号補間変換を行って出力音声信号Ｓ１５５を生成する。また、擬似データ付加部１１５は、データ記憶装置１１６に接続されており、受信音声信号Ｓ１５２をデータ記憶装置１１６に保存する。
【００２６】
スピーカ装置１１７は、擬似データ付加部１１５の出力に接続されており、出力音声信号Ｓ１５５に応じた音響出力を生成する。
【００２７】
情報提示部１１８は、通信状態判定部１１４の出力に接続されており、通信状態判定情報Ｊ１５４を例えば、表示によって提示する。
【００２８】
なお、スピーカ装置１１７及び情報提示部１１８の少なくとも一方は、受信ユニット１１に含まれずに、外部接続可能とされても良い。
【００２９】
端末１０の送信ユニット１２は、図２に示すように、マイク装置１２１、識別信号生成部１２２、識別信号付加部１２３、符号化部１２４、及び送信部１２５を含んでいる。
【００３０】
マイク装置１２１は集音した音響を電気信号である原音声信号Ｓ１６１に変換して出力する。なお、マイク装置１２１は、送信ユニット１２に含まれずに、外部接続可能とされても良い。
【００３１】
第１識別信号生成手段である識別信号生成部１２２は、原音声信号Ｓ１６１に付加すべき識別信号Ｓ１６２（第１識別信号）を生成する。識別信号Ｓ１６２は本実施例では後述するように２０００Ｈｚの正弦波信号である。また、識別信号生成部１２２は、識別信号Ｓ１６２に含まれる情報を動作判定情報Ｊ１６３として出力する。
【００３２】
第１識別信号付加手段である識別信号付加部１２３は、マイク装置１２１の出力及び識別信号生成部１２２の出力に接続されており、識別信号Ｓ１６２を原音声信号Ｓ１６１に付加して送信音声信号Ｓ１６４を生成する。
【００３３】
符号化部１２４は、識別信号付加部１２３の出力に接続されており、送信音声信号Ｓ１６４を符号化して符号化データＳ１６５を生成する。
【００３４】
送信部１２５は、符号化部１２４の出力に接続されるとともに、ネットワーク５０に接続されており、符号化データＳ１６５を含むパケットを生成してそのパケットをネットワーク５０に送出する。符号化部１２４及び送信部１２５は第１送信手段を構成する。
【００３５】
端末２０の受信ユニット２１は、図３に示すように、受信部２１１、復号部２１２、識別信号検知部２１３、擬似データ付加部２１４、データ記憶装置２１５、及びスピーカ装置２１６を含んでいる。
【００３６】
受信部２１１は、ネットワーク５０に接続されており、ネットワーク５０から信号を受信し、その受信信号から符号化データＳ２５１を抽出して出力する。
【００３７】
復号部２１２は、受信部２１１の出力に接続されており、符号化データＳ２５１を復号して受信音声信号Ｓ２５２を出力する。受信部２１１及び復号部２１２は第２受信手段を構成する。
【００３８】
第２識別信号検知手段である識別信号検知部２１３は、復号部２１２の出力に接続されており、受信音声信号Ｓ２５２に識別信号が含まれているか否かを判定し、その判定結果を動作確認情報Ｊ２５３として出力する。判定する識別信号は、前述の識別信号Ｓ１６２である。
【００３９】
第２擬似データ付加手段である擬似データ付加部２１４は、復号部２１２の出力と共に識別信号検知部２１３の出力に接続されており、動作確認情報Ｊ２５３に基づいて受信音声信号Ｓ２５２に対して信号補間変換を行って出力音声信号Ｓ２５４を生成する。また、擬似データ付加部２１４は、データ記憶装置２１５に接続されており、受信音声信号Ｓ２５２をデータ記憶装置２１５に保存する。
【００４０】
スピーカ装置２１６は、擬似データ付加部２１４の出力に接続されており、出力音声信号Ｓ２５４に応じた音響出力を生成する。なお、スピーカ装置２１６は、受信ユニット２１に含まれずに、外部接続可能とされても良い。
【００４１】
端末２０の送信ユニット２２は、図３に示すように、マイク装置２２１、識別信号抽出部２２２、識別信号付加部２２３、符号化部２２４、及び送信部２２５を含んでいる。
【００４２】
マイク装置２２１は集音した音響を電気信号である原音声信号Ｓ２６１に変換して出力する。なお、マイク装置２２１は、送信ユニット２２に含まれずに、外部接続可能とされても良い。
【００４３】
第２識別信号生成手段である識別信号抽出部２２２は、受信ユニット２１の復号部２１２の出力及び識別信号検知部２１３の出力に接続されており、動作確認情報Ｊ２５３に基づいて受信音声信号Ｓ２５２から原音声信号Ｓ２６１に付加すべき識別信号成分を抽出して抽出識別信号Ｓ２６２（第２識別信号）を生成する。
【００４４】
第２識別信号付加手段である識別信号付加部２２３は、マイク装置２２１の出力及び識別信号抽出部２２２の出力に接続されており、抽出識別信号Ｓ２６２を原音声信号Ｓ２６１に付加して送信音声信号Ｓ２６３を生成する。
【００４５】
符号化部２２４は、識別信号付加部２２３の出力に接続されており、送信音声信号Ｓ２６３を符号化して符号化データＳ２６４を生成する。
【００４６】
送信部２２５は、符号化部２２４の出力に接続されるとともに、ネットワーク５０に接続されており、符号化データＳ２６４を含むパケットを生成してそのパケットをネットワーク５０に送出する。符号化部２２４及び送信部２２５は第２送信手段を構成する。
【００４７】
次に、上記した通信システムの動作について説明する。この動作では端末１０及び端末２０の各々が１０ｍｓの音声フレーム単位で信号処理を行うこととする。
【００４８】
端末１０の送信ユニット１２においては、マイク装置１２１から出力された原音声信号Ｓ１６１は識別信号付加部１２３に供給され、識別信号付加部１２３にて原音声信号Ｓ１６１に対して識別信号生成部１２２からの識別信号Ｓ１６２が付加され、その結果として送信音声信号Ｓ１６４が生成される。識別信号Ｓ１６２の付加については後述する。送信音声信号Ｓ１６４は符号化部１２４で符号化されて符号化データＳ１６５となって送信部１２５に供給される。符号化データＳ１６５は送信部１２５でパケット化されて端末２０に向けてネットワーク５０に送出される。
【００４９】
識別信号生成部１２２によって生成される識別信号Ｓ１６２は、本実施例では２０００Ｈｚの正弦波信号である。なお、本発明において、識別信号Ｓ１６２は２０００Ｈｚの正弦波信号に限定されない。識別信号Ｓ１６２は、２０００Ｈｚとは異なる周波数、又は正弦波信号とは異なる波形の信号や、音声信号でない信号でも良い。音声信号ではない信号とは、例えば、文字、符号等の情報信号である。つまり、識別信号Ｓ１６２は、原音声信号Ｓ１６１と異なる信号であれば任意に設定することができる。
【００５０】
識別信号付加部１２３による原音声信号Ｓ１６１に対する識別信号Ｓ１６２の付加は、図示しないタイマが時間を計測することによって定期的に、例えば、１０秒毎に行われる。タイマが計測した時間が識別信号Ｓ１６２の付加間隔（所定の付加周期）である。なお、タイマが計測する時間、即ち付加周期は、タイマに予め設定される。
【００５１】
また、原音声信号Ｓ１６１に対する識別信号Ｓ１６２の付加は、原音声信号Ｓ１６１の一部が識別信号Ｓ１６２によって置き換えられることにより、行われる。本実施例のように、１０ｍｓの音声フレーム単位で信号処理を行う場合、原音声信号Ｓ１６１は、処理単位の先頭からの経過時点で２．５ｍｓから７．５ｍｓまでの期間が識別信号Ｓ１６２に置き換えられる。原音声信号Ｓ１６１の処理単位の先頭から２．５ｍｓ経過時点までの期間、及び７．５ｍｓ経過時点から処理単位終了時点までの期間の信号は原音声信号Ｓ１６１のままである。なお、パケット化後において置き換え部分が複数のパケットに分散しないことが望ましいが、上記したタイマによる定期的な識別信号Ｓ１６２の付加間隔と置き換える識別信号Ｓ１６２の長さとは、実装する端末とネットワークにより最適値が異なる。従って、本発明における原音声信号へ識別信号を付加するタイミングは、本実施例にて例示した識別信号Ｓ１６２の付加タイミングに限定されない。
【００５２】
端末２０においては、端末１０からネットワーク５０を介して送られてきたパケットを受信部２１１が受信して符号化データＳ２５１を出力する。符号化データＳ２５１は復号部２１２で復号化されて受信音声信号Ｓ２５２となり、識別信号検知部２１３及び擬似データ付加部２１４に供給される。
【００５３】
識別信号検知部２１３では受信音声信号Ｓ２５２に識別信号が含まれているか否かが判定される。上記したように、識別信号は２０００Ｈｚの識別信号Ｓ１６２であるので、識別信号検知部２１３は１０ｍｓの音声フレーム内に２０００Ｈｚの成分が含まれることを検出すれば、受信音声信号Ｓ２５２に識別信号Ｓ１６２が付加されていると判定する。具体的な判定方法としては、例えば、従来の周波数分析法を用いて音声フレーム内で受信音声信号Ｓ２５２中の２０００Ｈｚの信号成分とそれ以外の周波数成分とを比較し、５０ｄＢ以上の成分差があることが検出されれば受信音声信号Ｓ２５２は識別信号Ｓ１６２を含むと判定することができる。しかしながら、識別信号検知部２１３による識別信号Ｓ１６２の検知方法は、かかる方法に限定されず、フィルタバンクを用いるなどの他の方法でも良いことは勿論である。
【００５４】
識別信号検知部２１３から判定結果として出力される動作確認情報Ｊ２５３は、フラグであり、受信音声信号Ｓ２５２に識別信号Ｓ１６２が付加されている判定の場合には１を示し、受信音声信号Ｓ２５２に識別信号Ｓ１６２が付加されていない判定の場合には０を示す。動作確認情報Ｊ２５３は擬似データ付加部２１４に供給される。ただし、動作確認情報Ｊ２５３は、識別信号Ｓ１６２の有無を示すならばフラグに限定されない。
【００５５】
擬似データ付加部２１４では、動作確認情報Ｊ２５３に基づいて受信音声信号Ｓ２５２に対して信号補間変換が実行されると共に、受信音声信号Ｓ２５２がデータ記憶装置２１５に逐次記憶される。
【００５６】
信号補間変換においては、動作確認情報Ｊ２５３が識別信号Ｓ１６２の付加なしのために０を示す場合には、その音声フレームでは受信音声信号Ｓ２５２はそのまま出力音声信号Ｓ２５４とされる。
【００５７】
次に、動作確認情報Ｊ２５３が識別信号Ｓ１６２の付加ありのために１を示す場合の擬似データ付加部２１４の信号補間変換について図４を用いて説明する。擬似データ付加部２１４の動作は音声信号及び識別信号をディジタル処理によって実行されるが、図４では理解を容易にするためにそれらの信号をアナログ信号として示している。
【００５８】
図４において、連続する音声フレームｆｒ０１，ｆｒ０２，ｆｒ０３の受信音声信号Ｓ２５２が示されており、音声フレームｆｒ０２に識別信号Ｓ１６２が含まれている。音声フレームｆｒ０１には識別信号Ｓ１６２は含まれていないので、受信音声信号Ｓ２５２がそのまま出力音声信号Ｓ２５４とされる。
【００５９】
音声フレームｆｒ０２についての動作では、先ず、音声フレームｆｒ０２の先頭から２．５ｍｓ経過した時点までの音声信号がデータとしてデータ記憶装置２１５に記憶される。その後、データ記憶装置２１５に記憶されている最新の音声データから公知の自己相関関数により基本周期Ｔ０が推定され、データ記憶装置２１５に記憶されている音声データの記録済み終端から過去側に基本周期Ｔ０の期間分の音声データが補間候補データＤＫとして抽出される。ただし、基本周期Ｔ０が音声フレーム中の識別信号の長さ＋１ｍｓ（本実施例では５ｍｓ＋１ｍｓ＝６ｍｓ）よりも小さくなる場合には、基本周期Ｔ０（図４では３ｍｓ）を整数倍して６ｍｓ以上になるようにしてから補間候補データＤＫが決定される。補間候補データＤＫの決定後、データ記憶装置２１５に記憶されている音声データのうちの補間候補データＤＫに相当する期間の最古側から更に過去側に１ｍｓの期間の音声データが補助データＤＨとして抽出される。
【００６０】
動作確認情報Ｊ２５３が１を示す場合に、擬似データ付加部２１４から出力される出力音声信号Ｓ２５４は、音声フレームｆｒ０２の先頭から１．５ｍｓまでの期間では、受信音声信号Ｓ２５２と同一信号である。音声フレームｆｒ０２の１．５ｍｓから２．５ｍｓまでの１ｍｓ期間（第４期間）では、音声フレームｆｒ０２の受信音声信号Ｓ２５２と補助データＤＨとを重ね合わせた信号が出力音声信号Ｓ２５４とされる。すなわち、音声フレームｆｒ０２の１．５ｍｓからの経過時間をｔ、音声フレームｆｒ０２の受信音声信号Ｓ２５２の時点ｔにおける信号データｓ(ｔ)、補助データＤＨの先頭からの経過時間をτ、補助データＤＨの時点τにおける信号データｄ(τ)とすると、出力音声信号Ｓ２５４は、
ｓ(ｔ)・(１−ｔ)／(２．５−１．５)＋ｄ(τ)・τ／(２．５−１．５)
で表される。音声フレームｆｒ０２の２．５ｍｓから７．５ｍｓまでの５ｍｓ期間（第５期間）では、補間候補データＤＫの先頭からの経過時間で１ｍｓ経過時点から６ｍｓ経過時点までの期間の信号が出力音声信号Ｓ２５４とされる。音声フレームｆｒ０２の７．５ｍｓから８．５ｍｓまでの１ｍｓ期間（第６期間）では、音声フレームｆｒ０２の受信音声信号Ｓ２５２と補間候補データＤＫとを重ね合わせた信号が出力音声信号Ｓ２５４とされる。すなわち、音声フレームｆｒ０２の７．５ｍｓからの経過時間をｔ、音声フレームｆｒ０２の受信音声信号Ｓ２５２の時点ｔにおける信号データｓ(ｔ)、補間候補データＤＫの先頭からの経過時間をτ、補間候補データＤＫの時点τにおける信号データｄ(τ)とすると、出力音声信号Ｓ２５４は、
ｓ(ｔ)・(１−ｔ)／(８．５−７．５)＋ｄ(τ)・(６−τ)／(６−５)
で表される。音声フレームｆｒ０２の８．５ｍｓからフレームｆｒ０２の終端時点１０ｍｓまでの期間では、受信音声信号Ｓ２５２と同一信号が出力音声信号Ｓ２５４となる。
【００６１】
このように擬似データ付加部２１４から出力される出力音声信号Ｓ２５４に応じてスピーカ装置２１６から音響出力が生じる。
【００６２】
また、動作確認情報Ｊ２５３が１を示す場合においては、上記したように、受信音声信号Ｓ２５２には識別信号Ｓ１６２が含まれているので、送信ユニット２２の識別信号抽出部２２２は動作確認情報Ｊ２５３に基づいて受信音声信号Ｓ２５２から識別信号Ｓ１６２の成分を抽出して抽出識別信号Ｓ２６２を生成する。識別信号Ｓ１６２の抽出は音声フレーム毎に先頭からの経過時間で２．５ｍｓ経過した時点から７．５ｍｓ経過した時点までの５ｍｓ期間の受信音声信号Ｓ２５２が抽出識別信号Ｓ２６２とされる。
【００６３】
抽出識別信号Ｓ２６２は識別信号付加部２２３に供給され、マイク装置２２１からの原音声信号Ｓ２６１に付加される。識別信号付加部２２３による原音声信号Ｓ２６１に対する抽出識別信号Ｓ２６２の付加は、上記した識別信号付加部１２３による原音声信号Ｓ１６１に対する識別信号Ｓ１６２の付加と同様に行われる。すなわち、原音声信号Ｓ２６１の処理単位の先頭からの経過時点で２．５ｍｓから７．５ｍｓまでの期間が抽出識別信号Ｓ２６２で置き換えられる。識別信号付加部２２３では置き換えられた結果として送信音声信号Ｓ２６３が生成される。
【００６４】
送信音声信号Ｓ２６３は符号化部２２４で符号化されて符号化データＳ２６４となって送信部２２５に供給され、符号化データＳ２６４は送信部２２５でパケット化されて端末１０に向けてネットワーク５０に送出される。
【００６５】
端末１０においては、端末２０からネットワーク５０を介して送られてきたパケットを受信部１１１が受信して受信符号化データＳ１５１を出力する。符号化データＳ１５１は復号部１１２で復号化され、受信音声信号Ｓ１５２となって識別信号検知部１１３、通信状態判定部１１４及び擬似データ付加部１１５に供給される。
【００６６】
識別信号検知部１１３では、識別信号生成部１２２から供給される動作判定情報Ｊ１６３に基づいて受信音声信号Ｓ１５２に識別信号成分、すなわち抽出識別信号Ｓ２６２が含まれているか否かが判定される。この識別信号検知部１１３の判定動作は、上記した識別信号検知部２１３の判定動作と同一である。識別信号検知部１１３から判定結果として出力される動作確認情報Ｊ１５３が通信状態判定部１１４及び擬似データ付加部１１５に供給される。動作確認情報Ｊ１５３はフラグであり、受信音声信号Ｓ１５２に抽出識別信号Ｓ２６２が含まれている判定の場合には１を示し、受信音声信号Ｓ１５２に抽出識別信号Ｓ２６２が含まれていない判定の場合には０を示す。
【００６７】
擬似データ付加部１１５では、動作確認情報Ｊ１５３に基づいて受信音声信号Ｓ１５２に対して信号補間変換が実行されると共に、受信音声信号Ｓ１５２がデータ記憶装置１１６に逐次記憶される。擬似データ付加部１１５の信号補間変換を含む動作は上記した擬似データ付加部２１４の動作と同一である。なお、上記した擬似データ付加部２１４の動作において第４期間が第１期間となり、第５期間が第２期間となり、第６期間が第３期間となる。擬似データ付加部１１５から出力される出力音声信号Ｓ１５５に応じてスピーカ装置１１７から音響出力が生じる。
【００６８】
通信状態判定部１１４では、受信音声信号Ｓ１５２と動作確認情報Ｊ１５３とに基づいて端末１０と端末２０との間で行われる通信の通信状態が正常であるか否かが判定される。この判定動作においては、図５に示すように、先ず、動作確認情報Ｊ１５３の内容が判別される（ステップＳ１１）。すなわち、受信音声信号Ｓ１５２に抽出識別信号Ｓ２６２が含まれていたか否か（動作確認情報Ｊ１５３における上記フラグが０か１か）が判別される。動作確認情報Ｊ１５３が０を示すため抽出識別信号Ｓ２６２が含まれていない場合には、通信状態判定部１１４は端末１０、２０間の通信状態が異常であると判断する（ステップＳ１２）。この異常は少なくとも識別信号を含む伝送信号の欠落である。
【００６９】
一方、動作確認情報Ｊ１５３が１を示すため抽出識別信号Ｓ２６２が含まれている場合には、通信状態判定部１１４は抽出識別信号Ｓ２６２の検出間隔がタイマの設定時間の２倍以上であるか否かを判別する（ステップＳ１３）。タイマの設定時間は識別信号Ｓ１６２の付加間隔である。通信状態判定部１１４はタイマの設定時間、すなわち識別信号Ｓ１６２の付加間隔の２倍以上では通信状態が異常であると判断する（ステップＳ１４）。抽出識別信号Ｓ２６２の検出間隔が大きくなるステップＳ１４の異常は、ネットワークの伝送遅延や揺らぎにより、端末１０、２０間の通信状態が悪化し、到来する信号間隔が大きくなった場合を示す。抽出識別信号Ｓ２６２の検出間隔がタイマの設定時間の２倍より小である場合には、通信状態判定部１１４は端末１０と端末２０との間で行われる通信の通信状態が正常であると判断する（ステップＳ１５）。
【００７０】
ステップＳ１２、Ｓ１４及びＳ１５の各判断結果は、通信状態判定情報Ｊ１５４として情報提示部１１８に供給され、情報提示部１１８によって端末１０の使用者に対して提示される。その提示方法は使用者が視認することができればどのような方法でも良いが、例えば、異常と正常とのいずれか一方を表示器で単に表示する方法や、それに加えて異常として伝送信号欠落と伝送遅延とを具体的に示すものであっても良い。
【００７１】
このように実施例１の通信システムでは、情報提示部１１８の提示内容から端末１０からパケットとして送信された音声信号が端末２０に正常に到達しているか否かを、端末１０の使用者は端末１０で知ることができる。使用者が保守者である場合には、通信状態の異常の原因を特定することが容易となり、保守コストの低減を図ることができる。また、異常判定や通信状態の提示のために専用のパケットを送信する必要がないので、異常判定や通信状態の提示のためにネットワークを輻輳状態とすることがない。
【００７２】
なお、上記した実施例１では音声信号及び識別信号をディジタル処理しているが、処理単位を定めてアナログ処理しても良いことは勿論である。また、本発明はネットワークの通信状態を検知する従来の機能と組み合わせて利用しても良い。
【００７３】
また、上記した実施例１の受信ユニット１１の復号部１１２、識別信号検知部１１３、通信状態判定部１１４、及び擬似データ付加部１１５、並びに送信ユニット１２の識別信号生成部１２２、識別信号付加部１２３、及び符号化部１２４を１つ以上のコンピュータを用いて構成し、更に受信部１１１及び送信部１２５をコンピュータによって制御可能にし、そのコンピュータにソフトウエアを実行させることによって上記した動作を可能にしても良い。また、受信ユニット２１の受信部２１１、復号部２１２、識別信号検知部２１３、及び擬似データ付加部２１４、並びに送信ユニット２２の識別信号抽出部２２２、識別信号付加部２２３、符号化部２２４、及び送信部２２５についても同様である。
【００７４】
実施例２
図６は本発明の実施例２として通信システムを示している。この実施例２の通信システムは端末３０、４０を含んでいる。端末３０及び端末４０は回線網であるネットワーク５０に各々接続されている。端末３０は、受信ユニット３１と送信ユニット３２とを備え、端末４０は、受信ユニット４１と送信ユニット４２とを備えている。端末３０及び端末４０は互いに同一構成であるので、端末３０の受信ユニット３１及び送信ユニット３２の構成について以下に説明する。
【００７５】
図７に示すように、受信ユニット３１は、受信部１１１、復号部１１２、識別信号検知部３１３、通信状態判定部１１４、擬似データ付加部１１５、データ記憶装置１１６、スピーカ装置１１７、及び情報提示部１１８を含んでいる。受信部１１１、復号部１１２、擬似データ付加部１１５、データ記憶装置１１６、スピーカ装置１１７、及び情報提示部１１８は図２に示した端末１０の受信ユニット１１に同一符号で示されたものと同一の機能を有している。
【００７６】
送信ユニット３２は、マイク装置１２１、識別信号生成部３２２、識別信号付加部１２３、符号化部１２４、及び送信部１２５を含んでいる。マイク装置１２１、識別信号付加部１２３、符号化部１２４、及び送信部１２５は図２に示した端末１０の送信ユニット１２に同一符号で示されたものと同一の機能を有している。
【００７７】
また、端末３０は受信ユニット３１及び送信ユニット３２とは別に、着信検知部３４０を有している。着信検知部３４０は、端末３０内の図示しない呼制御処理部から呼制御情報Ｊ３３１、通話開始情報Ｊ３３２を取得し、これらの情報を元にして着信検知情報Ｊ３３３を出力する。
【００７８】
送信ユニット３２の識別信号生成部３２２は、識別信号検知部３１３及び着信検知部３４０各々に接続されており、着信検知情報Ｊ３３３、及び識別信号検知部３１３からの発信側付加情報Ｊ３３４に基づいて識別信号Ｓ１６２を生成すべきか否かを判断すると共に、生成すべきと判断した場合には識別信号Ｓ１６２を生成する。
【００７９】
受信ユニット３１の識別信号検知部３１３は、識別信号生成部３２２及び着信検知部３４０各々に接続されている。識別信号検知部３１３は、識別信号生成部３２２から供給される動作判定情報Ｊ１６３に基づいて受信音声信号Ｓ１５２に識別信号である識別信号成分が含まれているか否かを判定し、その判定結果を動作確認情報Ｊ１５３として出力し、また、着信検知情報Ｊ３３３に基づいて識別信号の検知を行うと共に、発信側の付加情報を取得した場合には、発信側付加情報Ｊ３３４を生成して識別信号生成部３２２へ通知する。
【００８０】
次に、実施例２の通信システムの動作について識別信号検知部３１３、識別信号生成部３２２及び着信検知部３４０の部分を中心に説明する。
【００８１】
先ず、端末３０が発信する場合には、着信検知部３４０は、端末３０が発信した状態であることを呼制御情報Ｊ３３１により取得する。呼制御情報Ｊ３３１は、端末３０に着信があった場合に１、端末３０が発信した場合に−１、端末３０が通話状態でない場合に０となるような情報である。また、ＳＩＰ（Ｓｅｓｓｉｏｎ  Ｉｎｉｔｉａｔｉｏｎ  Ｐｒｏｔｏｃｏｌ）による呼制御を行う場合には、ＳＩＰのメッセージがＩＮＶＩＴＥリクエストであるＳＩＰパケットを受信した場合に１、ＩＮＶＩＴＥリクエストであるＳＩＰパケットを送信した場合に−１、それ以外の場合に０となる情報である。
【００８２】
着信検知部３４０は、呼制御情報Ｊ３３１に基づいて着信検知情報Ｊ３３３を識別信号生成部３２２へ通知する。着信検知情報Ｊ３３３は、着信があった場合を１、それ以外を０とした情報である。端末３０が発信する場合には識別信号生成部３２２へ、それ以外の場合である０が通知される。この結果、識別信号生成部３２２は、当該着信検知情報Ｊ３３３が０を示している場合には認識信号Ｓ１６２を識別信号付加部１２３に出力する。認識信号Ｓ１６２は既定値である２０００Ｈｚの信号である。
【００８３】
よって、送信ユニット３２では実施例１の送信ユニット１２と同様の動作によってパケットが生成され、それがネットワーク５０に送出される。
【００８４】
次に、端末３０が着信を受ける場合には、着信検知部３４０は、端末３０が着信を受けた状態であることを呼制御情報Ｊ３３１により取得する。この着信の際には、呼制御情報Ｊ３３１は、上記したように着信があった場合を示す１となる。同様に、着信検知部３４０から生成される着信検知情報Ｊ３３３が１を示すことなる。
【００８５】
送信ユニット３２において識別信号生成部３２２は、１を示す着信検知情報Ｊ３３３に応じて識別信号Ｓ１６２の出力を停止するか、又は、識別信号Ｓ１６２が０となるような情報を出力する。この識別信号Ｓ１６２の出力停止、又は識別信号Ｓ１６２の０情報出力は上記した通話開始情報Ｊ３３２に応じて端末３０で通話開始が判定されるまで継続される。
【００８６】
受信ユニット３１において、識別信号検知部３１３は、１を示す着信検知情報Ｊ３３３に応じて受信音声信号Ｓ２２２に既定値２０００Ｈｚの識別信号が含まれるか否かを判定し、その判定結果を発信側付加情報Ｊ３３４として出力する。
【００８７】
識別信号検知部３１３で識別信号が検知された場合には、発信側付加情報Ｊ３３４により、識別信号が検知されたことが識別信号生成部３２２に通知される。発信側付加情報Ｊ３３４は２０００Ｈｚの識別信号が検知された場合に１を示し、それ以外では０を示す信号である。
【００８８】
識別信号生成部３２２では、着信を受ける場合には着信検知情報Ｊ３３３が１であり、かつ、発信側付加情報Ｊ３３４が１であるならば、認識信号Ｓ１６２としては既定値の２０００Ｈｚとは異なる周波数の正弦波信号が生成される。この異なる周波数を本実施例では３０００Ｈｚとするが、既定値２０００Ｈｚと弁別可能な周波数であれば、任意に設定が可能である。識別信号Ｓ１６２の周波数は、動作判定情報Ｊ１６３により識別信号検知部３１３へ出力し、識別信号検知部３１３では、着信された端末であっても動作判定情報Ｊ１６３に応じて認識信号Ｓ１６２の周波数３０００Ｈｚの識別を行うことができる。
【００８９】
なお、識別信号Ｓ１６２の信号周波数を変えることに限らず、信号波形などの他の信号の態様を変えても良い。
【００９０】
着信された端末では、着信を受けた後に音声処理が動作するため、着信端末側の識別信号を発信端末と異なるように設定することができ、双方の端末で正常な通話ができているか確認が可能となる。
【００９１】
上記したように端末３０と端末４０とは同じ構成を有しているので、端末４０でも上記したように動作が行われる。以下においては受信ユニット４１及び送信ユニット４２内の各部は受信ユニット３１及び送信ユニット３２内の各部と同一の符号を用いて説明する。
【００９２】
端末３０と端末４０との間で通信する際に端末３０が発信側端末となった場合には端末４０が着信側端末となり、逆に、端末４０が発信側端末となった場合には端末３０が着信側端末となる。
【００９３】
端末３０が発信側端末であり、端末４０が着信側端末である場合の各端末の動作を説明する。端末３０では、識別信号生成部３２２は、着信検知情報Ｊ３３３が０を示すので、２０００Ｈｚの認識信号Ｓ１６２を識別信号付加部１２３に出力する。通話が開始されると、識別信号付加部１２３にて、２０００Ｈｚの識別信号Ｓ１６２が原音声信号Ｓ１６１に対して１０秒毎の間隔で付加され、その結果として送信音声信号Ｓ１６４が生成される。送信音声信号Ｓ１６４は符号化部１２４で符号化され、符号化データＳ１６５となって送信部１２５に供給される。符号化データＳ１６５は送信部１２５でパケット化されて端末４０に向けてネットワーク５０に送出される。
【００９４】
一方、着信側端末４０では、端末３０からの着信により着信検知部３４０から出力される着信検知情報Ｊ３３３は１を示す。従って識別信号生成部３２２は認識情報Ｓ１６２の発生を停止する。その後、端末３０からネットワーク５０を介して送られてきたパケットを受信部１１１が受信すると、受信部１１１から出力される受信音声信号Ｓ１５２が復号部１１２で復号化されて受信音声信号Ｓ１５２となる。受信音声信号Ｓ１５２は識別信号検知部３１３、通信状態判定部１１４及び擬似データ付加部１１５に供給される。着信側端末４０の識別信号検知部３１３では、受信音声信号Ｓ１５２に既定値２０００Ｈｚの識別信号が含まれているか否かが判定される。識別信号検知部３１３にて既定値２０００Ｈｚの識別信号が含まれている判定結果が得られると、１を示す発信側付加情報Ｊ３３４が出力される。また、識別信号検知部３１３から判定結果として出力される動作確認情報Ｊ１５３は、通信状態判定部１１４及び擬似データ付加部１１５に供給される。
【００９５】
端末４０の識別信号生成部３２２は、１を示す着信検知情報Ｊ３３３が供給されると、認識信号Ｓ１６２として３０００Ｈｚの信号を生成する。よって、通話が開始されると、端末４０においては識別信号付加部１２３にて、３０００Ｈｚの識別信号Ｓ１６２が原音声信号Ｓ１６１に対して１０秒毎の間隔で付加され、その結果として送信音声信号Ｓ１６４が生成される。送信音声信号Ｓ１６４は符号化部１２４で符号化されて符号化データＳ１６５となり、送信部１２５に供給される。符号化データＳ１６５は送信部１２５でパケット化されて端末３０に向けてネットワーク５０に送出される。
【００９６】
発信側端末３０では、端末４０からネットワーク５０を介して送られてきたパケットを受信部１１１が受信すると、受信部１１１から出力される受信音声信号Ｓ１５２が復号部１１２で復号化されて受信音声信号Ｓ１５２となる。受信音声信号Ｓ１５２は識別信号検知部３１３、通信状態判定部１１４及び擬似データ付加部１１５に供給される。発信側端末３０の識別信号検知部３１３では、受信音声信号Ｓ１５２に３０００Ｈｚの識別信号が含まれているか否かが判定される。識別信号検知部３１３から判定結果として出力される動作確認情報Ｊ１５３は、通信状態判定部１１４及び擬似データ付加部１１５に供給される。
【００９７】
発信側端末３０及び着信側端末４０各々の通信状態判定部１１４及び擬似データ付加部１１５の動作は、実施例１に示した動作通りであり、ここでの説明は省略される。
【００９８】
このように実施例２では、発信側端末３０及び着信側端末４０各々において、付加される識別信号を異なる信号として、端末３０と端末４０との間で行われる通信の通信状態が正常であるか否かを判定し、その結果を提示することができる。
【００９９】
なお、上記した実施例２の受信ユニット３１の復号部１１２、識別信号検知部３１３、通信状態判定部１１４、及び擬似データ付加部１１５、並びに送信ユニット３２の識別信号生成部３２２、識別信号付加部１２３、及び符号化部１２４を１つ以上のコンピュータを用いて構成し、更に受信部１１１及び送信部１２５をコンピュータによって制御可能にし、そのコンピュータにソフトウエアを実行させることによって上記した動作を可能にしても良い。
【０１００】
上記した実施例２の識別信号生成部３２２は識別信号検知部３１３で検知された識別信号を受信音声信号Ｓ１５２から抽出し、抽出された識別信号をＳ１６２として出力しても良い。つまり、発信側端末から着信側端末へ付与する疑似データを２０００Ｈｚの正弦波、着信側端末から発信側端末へ付与する疑似データを３０００Ｈｚの正弦波とし、信号の向かう方向により付与データを固定せず、実施例１のような２０００Ｈｚの疑似データを付与した信号と、３０００Ｈｚの疑似データを付与した信号とが、それぞれ送受されるようにしてもよい。例えば、着信側端末４０の識別信号検知部３１３により受信音声信号Ｓ１５２に既定値２０００Ｈｚの識別信号が含まれている場合、発信側付加情報Ｊ３３４により識別信号生成部３２２に当該識別信号が含まれている通知され、識別信号Ｓ１６２として、２０００Ｈｚの正弦波を出力した後、３０００Ｈｚの正弦波を出力する。したがって、識別信号付加部１２３から出力される送信音声信号Ｓ１６４は、２０００Ｈｚの識別信号が含まれる音声フレームと、３０００Ｈｚの識別信号が含まれる音声フレームとが生成される。この後、受信音声信号Ｓ１５２に３０００Ｈｚの識別信号が含まれていた場合、動作確認情報Ｊ１５３は判定結果を通信状態判定部１１４に通知する。発信側端末３０の識別信号検知部３１３では、３０００Ｈｚを２０００Ｈｚに、２０００Ｈｚを３０００Ｈｚに読み替えて、前述の着信側端末４０の識別信号検知部３１３と同様に動作させる。
【０１０１】
上記した各実施例１、２においては、各端末は電話機能を有し、ネットワークを介して通話のための音声データをパケットにて送受信するように構成されているが、ネットワークを伝送されるデータは音声データに限らず、画像データ、文字データなどの他のデータであっても良い。
【０１０２】
また、上記した各実施例１、２においては、通信回線、すなわちネットワークは有線で形成されているが、本発明では装置間が無線のネットワークで結ばれていても良いことは勿論である。
【符号の説明】
【０１０３】
１０，２０，３０，４０  送受信装置
５０  ネットワーク
１１，２１，３１，４１  受信ユニット
１２，２２，３２，４２  送信ユニット
１１１，２１１  受信部
１１２，２１２  復号部
１１３，２１３，３１３  識別信号検知部
１１４  通信状態判定部
１１５，２１４  擬似データ付加部
１１７，２１６  スピーカ装置
１２１，２２１  マイク装置
１２２，３２２  識別信号生成部
１２３，２２３  識別信号付加部
１２４，２２４  符号化部
１２５，２２５  送信部
３４０  着信検知部
【図１】
2016066878.tif 000003
【図２】
2016066878.tif 000004
【図３】
2016066878.tif 000005
【図４】
2016066878.tif 000006
【図５】
2016066878.tif 000007
【図６】
2016066878.tif 000008
【図７】
2016066878.tif 000009